(57)【要約】【課題】  比較的細いコーヒー缶とそれよりも太いビール缶のいずれにも使用でき、携帯にも便利な熱遮断用バンドを提供する。【解決手段】  柔軟性及び伸縮性を有する材料で形成され、両端部６，６を有し、それら両端部６，６に磁石２，２が取り付けられており、バンド１の非伸長状態において、バンド１を、胴部外径が約５３ｍｍの飲料用缶の胴部外周面の周方向に添わせたときに、一方の磁石２が、他方の磁石２の位置まで届かず、且つ、バンド１を、胴部外径が約５３ｍｍのアルミ製飲料用缶の胴部外周面の周方向に添わせ、バンド１を伸長させて両磁石２，２の位置を重ね、バンド１の両端部６，６同士を磁力により結合させたときに、バンド１に生じる引張り力の大きさが、磁力による両端部６，６同士の結合状態を維持できる大きさとなるように、バンド１が形成されている【選択図】  図１
2018012515.tif 000002
【特許請求の範囲】
【請求項１】
柔軟性及び伸縮性を有する材料で形成され、両端部を有するバンドであって、それら両端部に磁石が取り付けられており、
バンドの非伸長状態において、バンドを、胴部外径が約５３ｍｍの飲料用缶の胴部外周面の周方向に添わせたときに、一方の磁石が、他方の磁石の位置まで届かず、
且つ、バンドを、胴部外径が約５３ｍｍのアルミ製飲料用缶の胴部外周面の周方向に添わせ、バンドを伸長させて両磁石の位置を重ね、バンドの両端部同士を磁力により結合させたときに、バンドに生じる引張り力の大きさが、磁力による両端部同士の結合状態を維持できる大きさとなるように、バンドが形成されていることを特徴とする、飲料用缶の熱遮断用バンド。
【請求項２】
前記バンドであって、バンドを、胴部外径が約６６ｍｍのアルミ製飲料用缶の胴部外周面の周方向に添わせ、バンドを伸長させて両磁石の位置を重ね、バンドの両端部同士を磁力により結合させたときに、バンドに生じる引張り力の大きさが、磁力による両端部同士の結合状態を維持できる大きさとなるように、バンドが形成されている請求項１記載の飲料用缶の熱遮断用バンド。
【発明の詳細な説明】
【技術分野】
【０００１】
本発明は、缶コーヒーや缶ビールを持つときに使用される熱遮断用バンドに関する。
【背景技術】
【０００２】
コンビニエンスストア等で販売されている加温された缶コーヒーの温度は約５５℃に設定されているものが多く、冷却された缶コーヒーや缶ビールの温度は約３℃に設定されているものが多い。５５℃に加温された缶は素手で持ったときにかなり熱く感じる温度である。また、３℃に冷却された缶はかなり冷たく感じ、缶の表面に滴が生じるので、持ったときに不快な感じを与える。
【０００３】
そこで、飲料用の缶を内側に収納するように設けられた蛇腹状の収容部を備えた缶ホルダーが提案されている（例えば、特許文献1参照。）。
【先行技術文献】
【特許文献】
【０００４】
【特許文献１】登録実用新案第３０１４３６８号公報
【発明の概要】
【発明が解決しようとする課題】
【０００５】
コンビニエンスストア等で販売されている缶コーヒーの胴部外径は約５３ｍｍであり、缶ビールの胴部外径は約６６ｍｍである。したがって、前述した従来の缶ホルダーを缶コーヒーのサイズに合わせると、缶ビールが蛇腹状の収容部に入らないので、それら二種類の缶に使用することができない。また、蛇腹状に形成されていて嵩張るので、携帯に不便である。そこで、本発明は、比較的細いコーヒー缶とそれよりも太いビール缶のいずれにも使用でき、携帯にも便利な熱遮断用バンドを提供することを目的とする。
【課題を解決するための手段】
【０００６】
請求項１記載の発明は、柔軟性及び伸縮性を有する材料で形成され、両端部を有するバンドであって、それら両端部に磁石が取り付けられており、バンドの非伸長状態において、バンドを、胴部外径が約５３ｍｍの飲料用缶の胴部外周面の周方向に添わせたときに、一方の磁石が、他方の磁石の位置まで届かず、且つ、バンドを、胴部外径が約５３ｍｍのアルミ製飲料用缶の胴部外周面の周方向に添わせ、バンドを伸長させて両磁石の位置を重ね、バンドの両端部同士を磁力により結合させたときに、バンドに生じる引張り力の大きさが、磁力による両端部同士の結合状態を維持できる大きさとなるように、バンドが形成されている構成である。
【０００７】
請求項２記載の発明は、前記バンドであって、バンドを、胴部外径が約６６ｍｍのアルミ製飲料用缶の胴部外周面の周方向に添わせ、バンドを伸長させて両磁石の位置を重ね、バンドの両端部同士を磁力により結合させたときに、バンドに生じる引張り力の大きさが、磁力による両端部同士の結合状態を維持できる大きさとなるように、バンドが形成されている構成である。
【発明の効果】
【０００８】
本発明は以上のような構成であって、非伸長状態のバンドを、胴部外径が約５３ｍｍの飲料用缶の胴部外周面の周方向に添わせたときに、一方の磁石が、他方の磁石の位置まで届かない。コンビニエンスストア等で販売されている缶コーヒーの缶の胴部外径は約５３ｍｍであって、主にスチール製である。したがって、バンドをそのスチール製飲料用缶の胴部外周面の周方向に添わせたときに、一方の磁石が、他方の磁石の位置まで届かなくても、それぞれの磁石の磁力によって、バンドの両端部はそれぞれ缶の表面に吸着するので、非伸長状態のバンドを缶に取り付けることができる。そして、バンドの上から缶をつかむことにより、飲料の熱が直接伝わることがないので、熱さや冷たさを感じることなくコーヒーを飲むことができる。使用後は、バンドに洒落たデザインを施すことにより、女性用のブレスレットとして兼用することができる。また、子供用の腕巻き玩具として兼用することもできる。あるいは、バッグのショルダーベルトやそれを取り付けるための環状金具、あるいは把手等に取り付けて携帯することができるので便利である。また、バンドの両端部同士を磁力で吸着させることにより、コンパクトに折り畳むことができるから、バッグに入れて携帯するときにも便利である。
【０００９】
さらに、前記バンドは、胴部外径が約５３ｍｍのアルミ製飲料用缶の胴部外周面の周方向に添わせ、バンドを伸長させて両磁石の位置を重ね、バンドの両端部同士を磁力により結合させたときに、バンドに生じる引張り力の大きさが、磁力による両端部同士の結合状態を維持できる大きさとなるように形成されている。缶がアルミ製であるときは磁石がアルミに吸着しないから、バンドの両端部が缶の表面に吸着せず、非伸長状態のバンドを缶に取り付けることができない。本発明は、バンドを伸長させてバンドの両端部同士を磁力により結合させたときに、バンドに生じる引張り力の大きさが、磁力による結合状態を維持できる大きさとなるように、バンドが形成されている。したがって、バンドを伸長させることにより胴部外径が約５３ｍｍのアルミ製飲料用缶にも取り付けることができる。
【００１０】
請求項２記載の発明は、前記バンドであって、バンドを、胴部外径が約６６ｍｍのアルミ製飲料用缶の胴部外周面の周方向に添わせ、バンドを伸長させて両磁石の位置を重ね、バンドの両端部同士を磁力により結合させたときに、バンドに生じる引張り力の大きさが、磁力による両端部同士の結合状態を維持できる大きさとなるように、バンドが形成されている。コンビニエンスストア等で販売されている缶ビールの缶の胴部外径は約６６ｍｍであって、主にアルミ製である。前述したように、缶がアルミ製であるときは磁石がアルミに吸着しないから、バンドの両端部が缶の表面に吸着せず、非伸長状態のバンドを缶に取り付けることができない。本発明は、バンドを伸長させてバンドの両端部同士を磁力により結合させたときに、バンドに生じる引張り力の大きさが、磁力による結合状態を維持できる大きさとなるように、バンドが形成されている。したがって、バンドを伸長させることにより胴部外径が約６６ｍｍのアルミ製飲料用缶にも取り付けることができるので、この場合にも、バンドの上から缶をつかむことにより、飲料の熱が直接伝わることがないのである。缶ビールの缶は、アルミ製であって胴部外径が約６６ｍｍに形成されている。したがって、請求項２記載のバンドは、胴部外径が約５３ｍｍのスチール缶及びアルミ缶と、胴部外径が６６ｍｍのスチール缶及びアルミ缶のいずれにも使用することができる。
【図面の簡単な説明】
【００１１】
【図１】スチール缶についての本発明の使用状態図である。
【図２】本発明の正面図である。
【図３】図２におけるＡ−Ａ断面図である。
【図４】図３におけるＢ−Ｂ断面図である。
【図５】本発明の第二実施例の側面図である。
【図６】本発明の第三実施例の正面図である。
【発明を実施するための形態】
【００１２】
次に、本発明の実施例について図面を参照しながら説明する。図２に示すように、バンド１は、柔軟性及び伸縮性を有する材料で細長く形成されている。材料として熱可塑性エラストマーが使用されるが、これに限定されないことは勿論であり、他の柔軟性及び伸縮性を有する材料として、例えば、ポリ塩化ビニル、ポリアミド樹脂、フッ素樹脂、ウレタンやポリウレタン、シリコーンゴムやウレタンゴムやエチレンプロピレンゴムやラテックスゴム等が用いられる。
【００１３】
図３及び図４に示すように、バンド１の両端部６，６に磁石２，２が取り付けられている。磁石は、磁力の強いネオジム磁石が使用される。ネオジム磁石以外の磁力の強い磁石を使用してもよい。磁石をバンド１に取り付ける方法は、磁力を有しない金属部材をバンド１の端部６，６に内包するようにバンド１を射出成型し、次に、内包された金属部材に磁力を付与することにより磁石２，２とする。これ以外の方法でもよく、例えば、初めから磁力を有する磁石を内包するようにバンド１を射出成型してもよい。あるいは、バンド１の両端部６，６に磁石２，２を受けるための凹部を設け、その凹部に磁石２，２を埋め込んで固着してもよい。磁石２，２は長方形に形成され、その長手方向が、バンド１の長手方向に直交するように取り付けられている。長方形磁石２，２の長手方向が、バンド１の長手方向に直交するように取り付けられている理由は、長方形の磁石の長手方向が、バンド１の長手方向と平行になるように取り付けると、直線状の磁石と弧状曲面の缶の表面との間に隙間が広がるためである。なお、磁石２，２の形状は、長方形に限定されるものでなく、例えば楕円形、円あるいは正方形であってもよい。
【００１４】
さらに、図２に示すように、バンド１の中央と両端部６，６との間の部分の両側を膨出させることにより、指宛部３，３が形成されている。図１は胴部外径が約５３ｍｍのスチール缶４に非伸長状態のバンド１を使用した状態を示す図である。図に示すようにバンド１を、スチール缶４の胴部外周面の周方向に非伸長状態で添わせたときに、バンド１の両端部６，６がスチール缶４の表面に磁着する。そして、指宛部３，３に指先を宛がってスチール缶４を持つことにより、缶の熱を遮断することができる。なお、バンド１に膨出部を設けて膨出した指宛部３，３を形成しなくてもよいことは勿論である。すなわち、膨出部を設けずに、持ち易い位置に指先を宛てて缶を持つ構成であってもよい。
【００１５】
また、バンド１の両端部６，６には、指掛け突部５，５が形成されている。スチール缶４に取り付けたバンド１を取り外すときに、一方の指掛け突部５に指先を引っ掛けることにより、バンド１を容易に取り外すことができる。バンド１の長さが図１に示したバンド１よりも長く、スチール缶４の表面に巻き付けたバンド１の両端部６，６同士が接する程度に接近する場合は、指掛け突部をバンド１の両端部６，６の両側に形成することが好ましい。また、そのような指掛け突部５を形成しなくも、バンド１の端部６に指先を引っ掛けても、その端部６をスチール缶４の表面から容易に引き離すことができる。
【００１６】
本発明の熱遮断用バンドを使用しなくても、幅広の輪ゴムを使用して熱を遮断することが考えられる。しかし、本発明と異なり、輪ゴムは環状に形成されていて両端部を有しない。したがって、缶に輪ゴムを取り付ける場合は、まず、輪ゴムを引っ張り缶の周面に緊張状態に密着させる。次に、その輪ゴムを再度引っ張って、それを缶の中央付近まで引きずるように移動させなければならない。そのとき、輪ゴムと缶の表面には大きな摩擦力が生じるので、輪ゴムを移動させるには非常に手間がかかる。さらに、輪ゴムを移動させているときは、缶をしっかり握っていなければならず、缶の熱が手に伝わるから熱い思いをしなければならない。また、輪ゴムを取り外すときは、さらに手間がかかる。すなわち、缶に取り付けられた輪ゴムは緊張状態に密着しており、幅広の輪ゴムが全面的に缶の表面に密着しているので、指先で輪ゴムを缶の表面から引き離す必要がある。しかし、缶の表面に密着している輪ゴムをつまむことが困難で、その輪ゴムの裏面と缶との間に指先を挿し入れることに手間がかかる。さらに、指先を挿し入れた状態で輪ゴムを缶の端部まで引っ張りながら移動させる作業にも手間がかかるのである。これに対して、本発明は、バンド１は両端部６，６を有しているので、バンド１を引っ張らなくても缶から容易に取り外すことができる。
【００１７】
次に、本発明を、胴部外径が約５３ｍｍのアルミ缶に使用する方法について説明する。本発明の磁石２，２はアルミ缶に磁着しないので、スチール缶と異なる方法で取り付ける。すなわち、バンド１を伸長させてアルミ缶に巻き付け、両磁石２，２の位置を重ねてバンド１の両端部６，６同士を磁力により結合させる。その際、バンド１に生じる引張り力の大きさが、磁力による結合状態を維持できる大きさとなるように、バンド１が十分に薄く形成されているので、バンド１は引っ張られた状態でアルミ缶の表面に巻き付けられる。バンド１は、磁力によってアルミ缶に磁着されないが、アルミ缶を締め付けるように巻き付けられるので、その締付け力によってアルミ缶に固定される。また、前述したように、コンビニエンスストア等で販売されている缶コーヒーの胴部外径は約５３ｍｍであって、主にスチール製であるが、最近はそのサイズのアルミ缶も存在する。したがって、缶の材料がアルミであるかスチールであるか確認する必要がなく、いずれの缶にも使用することができる。特に、自動発売機で缶コーヒーを買うときに便利である。
【００１８】
前述したように、コンビニエンスストア等で販売されている缶ビールの缶の胴部外径は約６６ｍｍである。そのようなアルミ缶に本発明を使用する場合も、請求項２に記載した構成のバンド１を伸長させてアルミ缶に巻き付け、両磁石２，２の位置を重ねてバンド１の両端部６，６同士を磁力により結合させる。その際、バンド１は、胴部外径が約６６ｍｍのアルミ缶に使用した場合に磁力による結合状態を維持できるように十分に薄く形成されいるから、バンド１を胴部外径が６６ｍｍのアルミ缶にも使用することができる。
【００１９】
図５は、本発明の第二実施例の側面図であって、バンド７は蛇腹状又は波状に形成されている。図２に示す実施例では、バンド１の両端部６，６同士を磁力により結合させたときに、バンド１に生じる引張り力の大きさが、磁力による結合状態を維持できる大きさとなるようにするために、バンド１の厚みを十分薄く形成する必要があり、熱を十分に遮断できない場合がある。第二実施例のバンド７のように蛇腹状又は波状に形成すれば、バンド７の厚みをバンド１よりも厚くなるように形成しても、バンド７に生じる引張り力の大きさを、磁力による結合状態を維持できる大きさとすることができる。さらに、蛇腹状又は波状であるから、平面状バンドに比べて熱を効果的に遮断できる。
【００２０】
図６は、本発明の第三実施例の正面図であって、バンド８に複数の穴部９，１０，１１が形成されている。これにより、それらの穴部９，１１の両側に易伸長部１２，１３，１４が形成され、バンド８をバンド１よりも厚くなるように形成しても、バンド８に生じる引張り力の大きさを、磁力による結合状態を維持できる大きさとすることができる。
【産業上の利用可能性】
【００２１】
バンドを伸長させて両磁石の位置を重ね、バンドの両端部同士を磁力により結合させたときに、バンドに生じる引張り力の大きさが、磁力による両端部同士の結合状態を維持できる大きさとなるように、バンドを形成することにより、缶ビールと缶コーヒーの二種類の飲料用缶に使用できる熱遮断用バンドとすることができる。
【符号の説明】
【００２２】
１  バンド、    ２  磁石、    ３  指宛部、    ４  スチール缶、    ５  指掛け突部、    ６  バンドの端部、    ７  バンド、    ８  バンド、    ９  穴部、    １０  穴部、    １１  穴部、    １２  穴部、    １２  易伸長部、    １３  易伸長部、    １４  易伸長部
【図１】
2018012515.tif 000003
【図２】
2018012515.tif 000004
【図３】
2018012515.tif 000005
【図４】
2018012515.tif 000006
【図５】
2018012515.tif 000007
【図６】
2018012515.tif 000008
【手続補正書】
【提出日】平成29年7月28日(2017.7.28)
【手続補正１】
【補正対象書類名】特許請求の範囲
【補正対象項目名】全文
【補正方法】変更
【補正の内容】
【特許請求の範囲】
【請求項１】
柔軟性及び伸縮性を有する材料で形成され、両端部を有するバンドであって、それら両端部に磁石が取り付けられており、
バンドの非伸長状態において、バンドを、胴部外径が約５３ｍｍの飲料用缶の胴部外周面の周方向に添わせたときに、一方の磁石が、他方の磁石の位置まで届かず、
且つ、バンドを、胴部外径が約５３ｍｍのアルミ製飲料用缶の胴部外周面の周方向に添わせ、バンドを伸長させて両磁石の位置を重ね、バンドの両端部同士を磁力により結合させたときに、バンドに生じる引張り力の大きさが、磁力による両端部同士の結合状態を維持できる大きさとなるように、バンドが形成されていることを特徴とする、飲料用缶の熱遮断用バンド。
【請求項２】
前記バンドであって、バンドを、胴部外径が約６６ｍｍのアルミ製飲料用缶の胴部外周面の周方向に添わせ、バンドを伸長させて両磁石の位置を重ね、バンドの両端部同士を磁力により結合させたときに、バンドに生じる引張り力の大きさが、磁力による両端部同士の結合状態を維持できる大きさとなるように、バンドが形成されている請求項１記載の飲料用缶の熱遮断用バンド。
【請求項３】
バンドに穴部を形成することにより、穴部の両側に易伸長部が形成されている請求項１又は請求項２記載の飲料用缶の熱遮断用バンド。
【手続補正書】
【提出日】平成29年11月13日(2017.11.13)
【手続補正１】
【補正対象書類名】明細書
【補正対象項目名】０００６
【補正方法】変更
【補正の内容】
【０００６】
請求項１記載の発明は、柔軟性及び伸縮性を有する材料で形成され、両端部を有するバンドであって、それら両端部に磁石が取り付けられており、バンドは、その両端部同士を磁力で吸着させることにより、コンパクトに折り畳むことを可能とする柔軟性を有し、バンドの非伸長状態において、バンドを、胴部外径が約５３ｍｍの飲料用缶の胴部外周面の周方向に添わせたときに、一方の磁石が、他方の磁石の位置まで届かず、且つ、バンドを、胴部外径が約５３ｍｍのアルミ製飲料用缶の胴部外周面の周方向に添わせ、バンドを伸長させて両磁石の位置を重ね、バンドの両端部同士を磁力により結合させたときに、バンドに生じる引張り力の大きさが、磁力による両端部同士の結合状態を維持できる大きさとなるように、バンドが形成されている構成である。
【手続補正２】
【補正対象書類名】特許請求の範囲
【補正対象項目名】請求項１
【補正方法】変更
【補正の内容】
【請求項１】
柔軟性及び伸縮性を有する材料で形成され、両端部を有するバンドであって、それら両端部に磁石が取り付けられており、バンドは、その両端部同士を磁力で吸着させることにより、コンパクトに折り畳むことを可能とする柔軟性を有し、
バンドの非伸長状態において、バンドを、胴部外径が約５３ｍｍの飲料用缶の胴部外周面の周方向に添わせたときに、一方の磁石が、他方の磁石の位置まで届かず、
且つ、バンドを、胴部外径が約５３ｍｍのアルミ製飲料用缶の胴部外周面の周方向に添わせ、バンドを伸長させて両磁石の位置を重ね、バンドの両端部同士を磁力により結合させたときに、バンドに生じる引張り力の大きさが、磁力による両端部同士の結合状態を維持できる大きさとなるように、バンドが形成されていることを特徴とする、飲料用缶の熱遮断用バンド。
【手続補正書】
【提出日】平成29年12月1日(2017.12.1)
【手続補正１】
【補正対象書類名】手続補正書
【補正対象項目名】手続補正２
【補正方法】変更
【補正の内容】
【手続補正２】
【補正対象書類名】特許請求の範囲
【補正対象項目名】全文
【補正方法】変更
【補正の内容】
【特許請求の範囲】
【請求項１】
柔軟性及び伸縮性を有する材料で形成され、両端部を有するバンドであって、それら両端部に磁石が取り付けられており、バンドは、その両端部同士を磁力で吸着させることにより、コンパクトに折り畳むことを可能とする柔軟性を有し、
バンドの非伸長状態において、バンドを、胴部外径が約５３ｍｍの飲料用缶の胴部外周面の周方向に添わせたときに、一方の磁石が、他方の磁石の位置まで届かず、
且つ、バンドを、胴部外径が約５３ｍｍのアルミ製飲料用缶の胴部外周面の周方向に添わせ、バンドを伸長させて両磁石の位置を重ね、バンドの両端部同士を磁力により結合させたときに、バンドに生じる引張り力の大きさが、磁力による両端部同士の結合状態を維持できる大きさとなるように、バンドが形成されていることを特徴とする、飲料用缶の熱遮断用バンド。
【請求項２】
前記バンドであって、バンドを、胴部外径が約６６ｍｍのアルミ製飲料用缶の胴部外周面の周方向に添わせ、バンドを伸長させて両磁石の位置を重ね、バンドの両端部同士を磁力により結合させたときに、バンドに生じる引張り力の大きさが、磁力による両端部同士の結合状態を維持できる大きさとなるように、バンドが形成されている請求項１記載の飲料用缶の熱遮断用バンド。
【請求項３】
バンドに穴部を形成することにより、穴部の両側に易伸長部が形成されている請求項１又は請求項２記載の飲料用缶の熱遮断用バンド。